【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
干渉型波長選択素子と偏光素子と反射素子とを積層して構成され、
前記干渉型波長選択素子へ入射する光を波長に応じて偏光方向を異ならせて射出することを特徴とする波長分離光学素子。
【請求項２】
請求項１に記載の波長分離光学素子において、
前記干渉型波長選択素子は、前記入射光のうち第１の波長の光を反射するとともに第２の波長の光を透過し、
前記偏光素子は、前記干渉型波長選択素子からの前記第２の波長の光の偏光方向を変更して前記反射素子へ導き、
前記反射素子は、前記偏光素子からの前記第２の波長の光を反射して前記偏光素子へ導き、
前記偏光素子は、前記反射素子により導かれた前記第２の波長の光の偏光方向をさらに変更して前記干渉型波長選択素子へ導き、
前記干渉型波長選択素子は、前記偏光素子からの前記第２の波長の光を透過することにより、前記入射光を前記第１の波長の光と第２の波長の光とで偏光方向を異ならせて射出することを特徴とする波長分離光学素子。
【請求項３】
入射光のうち第１の波長の光を反射するとともに第２の波長の光を透過する多層膜と、
前記多層膜からの前記第２の波長の光の偏光方向を変更して通過させる偏光素子と、
前記偏光素子からの前記第２の波長の光を反射して前記偏光素子へ導く反射素子とを有し、
前記偏光素子は、前記反射素子により導かれた前記第２の波長の光の偏光方向をさらに変更して前記多層膜へ導き、
前記多層膜は、前記偏光素子からの前記第２の波長の光を透過することを特徴とする波長分離光学素子。
【請求項４】
光源と、
前記光源からの光を直線偏光光とする偏光部材と、
前記直線偏光光を波長に応じて偏光方向を異ならせて射出する請求項１から３のいずれか１項に記載の波長分離光学素子と、
前記波長に応じて偏光方向を異ならせた偏光光から所定の色温度の光を選択して取り出す波長選択手段とを備えることを特徴とする色温度可変光源装置。
【請求項５】
請求項４に記載の色温度可変光源装置において、
前記波長選択手段は、
光軸廻りに回転可能な回転型偏光部材を備え、
前記回転型偏光部材を回転駆動することにより、前記波長に応じて偏光方向が異なる偏光光を偏光方向毎に選択比率を変えて取り出すことを特徴とする色温度可変光源装置。
【請求項６】
請求項５に記載の色温度可変光源装置において、
前記波長選択手段は、
前記回転型偏光部材を回転駆動する駆動機構と、
前記駆動機構を介して前記回転型偏光部材の回転角度を制御する制御回路とを備え、
前記回転型偏光部材の回転角度を変えることにより前記選択比率を変えることを特徴とする色温度可変光源装置。
【請求項７】
請求項４に記載の色温度可変光源装置において、
前記波長選択手段は、前記波長に応じて偏光方向を異ならせた偏光光の偏光面を回転させる液晶を有し、
前記液晶を駆動することにより、前記波長に応じて偏光方向を異ならせた偏光光を、偏光方向毎に選択比率を変えて取り出すことを特徴とする色温度可変光源装置。
【請求項８】
入射する光を直線偏光光とし、その直線偏光光を偏光方向毎に選択比率を変える回転型偏光部材と、
前記偏光方向毎の選択比率を変更された直線偏光光の偏光方向を波長に応じて異ならせる請求項１から３のいずれか１項に記載の波長分離光学素子と、
前記波長に応じて偏光方向を異ならせた偏光光から偏光方向毎に所定の波長の光を選択する偏光部材とを備えることを特徴とする色温度補正光学装置。
【請求項９】
請求項８に記載の色温度補正光学装置において、
前記回転型偏光部材と前記波長分離光学素子との間に、または前記波長分離光学素子と前記偏光部材との間に、複屈折作用を有する光学素子をさらに備えることを特徴とする色温度補正光学装置。
【請求項１０】
撮像レンズ系と、
前記撮像レンズ系により結像される被写体の像を電気信号に変換して出力する撮像素子と、
前記撮像レンズ系の前記被写体側に、請求項８または９に記載の色温度補正光学装置を備えることを特徴とする撮像システム。
【手続補正２】
【補正対象書類名】明細書
【補正対象項目名】０００６
【補正方法】変更
【補正の内容】
【０００６】
（１）上記問題点を解決するために、請求項１に係る発明の波長分離光学素子は、干渉型波長選択素子と偏光素子と反射素子とを積層して構成され、干渉型波長選択素子へ入射する光を波長に応じて偏光方向を異ならせて射出することを特徴とする。
請求項２に係る発明の波長分離光学素子は、請求項１の波長分離光学素子において、干渉型波長選択素子は、入射光のうち第１の波長の光を反射するとともに第２の波長の光を透過し、偏光素子は、干渉型波長選択素子からの第２の波長の光の偏光方向を変更して反射素子へ導き、反射素子は、偏光素子からの第２の波長の光を反射して偏光素子へ導き、偏光素子は、反射素子により導かれた第２の波長の光の偏光方向をさらに変更して干渉型波長選択素子へ導き、干渉型波長選択素子は、偏光素子からの第２の波長の光を透過することにより、入射光を第１の波長の光と第２の波長の光とで偏光方向を異ならせて射出することを特徴とする。
請求項３に係る発明の波長分離光学素子は、入射光のうち第１の波長の光を反射するとともに第２の波長の光を透過する多層膜と、多層膜からの第２の波長の光の偏光方向を変更して通過させる偏光素子と、偏光素子からの第２の波長の光を反射して偏光素子へ導く反射素子とを有し、偏光素子は、反射素子により導かれた第２の波長の光の偏光方向をさらに変更して多層膜へ導き、多層膜は、偏光素子からの第２の波長の光を透過することを特徴とする。
【手続補正３】
【補正対象書類名】明細書
【補正対象項目名】０００７
【補正方法】変更
【補正の内容】
【０００７】
（２）請求項４に係る発明の色温度可変光源装置は、光源と、光源からの光を直線偏光光とする偏光部材と、直線偏光光を波長に応じて偏光方向を異ならせて射出する請求項１から３のいずれか１項の波長分離光学素子と、波長に応じて偏光方向を異ならせた偏光光から所定の色温度の光を選択して取り出す波長選択手段とを備えることを特徴とする。
請求項５に係る発明の色温度可変光源装置は、請求項４の色温度可変光源装置において、波長選択手段は、光軸廻りに回転可能な回転型偏光部材を備え、回転型偏光部材を回転駆動することにより、波長に応じて偏光方向が異なる偏光光を偏光方向毎に選択比率を変えて取り出すことが好ましい。
請求項６に係る発明の色温度可変光源装置は、請求項５の色温度可変光源装置において、波長選択手段は、回転型偏光部材を回転駆動する駆動機構と、駆動機構を介して回転型偏光部材の回転角度を制御する制御回路とを備え、回転型偏光部材の回転角度を変えることにより選択比率を変えてもよい。
請求項７に係る発明の色温度可変光源装置は、請求項４の色温度可変光源装置において、
波長選択手段は、波長に応じて偏光方向を異ならせた偏光光の偏光面を回転させる液晶を有し、液晶を駆動することにより、波長に応じて偏光方向を異ならせた偏光光を、偏光方向毎に選択比率を変えて取り出すように構成してもよい。
【手続補正４】
【補正対象書類名】明細書
【補正対象項目名】０００８
【補正方法】変更
【補正の内容】
【０００８】
（３）請求項８に係る発明の色温度補正光学装置は、入射する光を直線偏光光とし、その直線偏光光を偏光方向毎に選択比率を変える回転型偏光部材と、偏光方向毎の選択比率を変更された直線偏光光の偏光方向を波長に応じて異ならせる請求項１から３のいずれか１項の波長分離光学素子と、波長に応じて偏光方向を異ならせた偏光光から偏光方向毎に所定の波長の光を選択する偏光部材とを備えることを特徴とする。
請求項９に係る発明の色温度補正光学装置は、請求項８の色温度補正光学装置において、回転型偏光部材と波長分離光学素子との間に、または波長分離光学素子と偏光部材との間に、複屈折作用を有する光学素子をさらに備えることが好ましい。
（４）請求項１０に係る発明の撮像システムは、撮像レンズ系と、撮像レンズ系により結像される被写体の像を電気信号に変換して出力する撮像素子と、撮像レンズ系の被写体側に、請求項８または９の色温度補正光学装置を備えることを特徴とする。